(57)【要約】【課題】インフラを共有しないフィールドにおいても、製品の生産工程におけるエネルギーに関するトレース情報を取得することができるトレース情報取得システムを提供する。【解決手段】トレース情報取得システムは、製品の生産工程における消費電力に関するイベントデータ１１を記録する記録手段と、記録手段により記録されたイベントデータ１１から製品の生産工程における消費電力に関するトレース情報を取得する取得手段とを備える。ここで、イベントデータ１１は、消費電力を計測する計測器の情報である計測器データ１２ａ、消費電力を計測する人に関する人データ１２ｂ、消費電力を計測する時間に関する時点データ１２ｃ、消費電力を計測する場所に関する位置データ１２ｄ、および消費電力を計測する際の状態に関する状態データ１２ｅを含み、複数の段階において、共通のデータ形式を有する。【選択図】図１
2010092367.tif 000002
【特許請求の範囲】
【請求項１】
複数の段階を経て生産される製品に関するトレース情報を取得するトレース情報取得システムであって、
製品の生産工程におけるエネルギーに関するイベントデータを記録する記録手段と、
前記記録手段により記録された前記イベントデータから製品の生産工程におけるエネルギーに関するトレース情報を取得する取得手段とを備え、
前記イベントデータは、前記複数の段階において、共通のデータ形式を有する、トレース情報取得システム。
【請求項２】
前記イベントデータは、エネルギーを計測する計測器の情報である計測器データ、エネルギーを計測する人に関する人データ、エネルギーを計測する時間に関する時点データ、エネルギーを計測する場所に関する位置データ、およびエネルギーを計測する際の状態に関する状態データを含む、請求項１に記載のトレース情報取得システム。
【請求項３】
前記取得手段は、前記記録手段により記録された複数の前記イベントデータの中から、互いに関連付けられた複数の前記イベントデータを抽出する抽出手段を含む、請求項１または２に記載のトレース情報取得システム。
【請求項４】
前記抽出手段は、複数の前記イベントデータのうち、前記位置データが同じもの同士を、互いに関連付けられたイベントデータとして抽出する、請求項３に記載のトレース情報取得システム。
【請求項５】
前記記録手段は、ＲＦＩＤタグを用いて前記イベントデータを記録する、請求項１〜４のいずれかに記載のトレース情報取得システム。
【請求項６】
複数の段階を経て生産される製品に関するトレース情報を取得するトレース情報取得方法であって、
前記複数の段階において共通のデータ形式を有し、製品の生産工程におけるエネルギーに関するイベントデータを記録する記録ステップと、
前記記録ステップにより記録された前記イベントデータから製品の生産工程におけるエネルギーに関するトレース情報を取得する取得ステップとを備える、トレース情報取得方法。
【請求項７】
複数の段階を経て生産される製品に関するトレース情報を取得するトレース情報取得装置であって、
前記複数の段階において共通のデータ形式を有し、製品の生産工程におけるエネルギーに関するイベントデータを記録する記録部と、
前記記録部により記録された前記イベントデータから製品の生産工程におけるエネルギーに関するトレース情報を取得する取得部とを備える、トレース情報取得装置。
【請求項８】
コンピュータを、
複数の段階を経て生産される製品に関するトレース情報を取得するために、前記複数の段階において共通のデータ形式を有し、製品の生産工程におけるエネルギーに関するイベントデータを記録する記録手段、
および前記記録手段により記録された前記イベントデータから製品の生産工程におけるエネルギーに関するトレース情報を取得する取得手段として機能させるためのトレース情報取得プログラム。
【請求項９】
請求項８に記載のトレース情報取得プログラムを記録したコンピュータ読取可能な記録媒体。
【発明の詳細な説明】
【技術分野】
【０００１】
この発明は、トレース情報取得システム、およびトレース情報取得方法に関するものであり、特に、複数の段階を経て生産される製品に関するトレース情報を取得するトレース情報取得システム、およびトレース情報取得方法に関するものである。
【背景技術】
【０００２】
昨今、製品の品質維持や品質向上等の観点から、複数の段階を経て製造される製品の製造工程を追跡可能とするトレーサビリティシステムの構築、すなわち、製品に対するトレース情報の取得システムの構築が求められている。製品のトレーサビリティに関する技術は、例えば、特開２００７−２４９３２６号公報（特許文献１）、および特開２００５−３４６２８０号公報（特許文献２）に開示されている。
【０００３】
特許文献１によると、隣接する複数の工程間において、各工程間の連携を関連付ける情報を記録し、記録された工程間関連情報を用いることにより、隣接する工程間に跨るトレース情報を取得することとしている。また、特許文献２によると、一連のプロセスからなるプロセスチェーンにおいて、製品のトレース情報の記録先を示すポインタを記録し、記録されたポインタを用いて、製品のトレース情報を取得することとしている。
【特許文献１】特開２００７−２４９３２６号公報
【特許文献２】特開２００５−３４６２８０号公報
【発明の開示】
【発明が解決しようとする課題】
【０００４】
上記した特許文献１および特許文献２に示すトレーサビリティについては、工程間の連係に関する情報や記録先を示すトレース情報ポインタを記録することが必要である。すなわち、記録された工程間の連係情報等を用いなければ、製品に関するトレース情報、例えば、製品の生産工程におけるエネルギーに関するトレース情報を得ることができない。そうすると、例えば、異なるサプライチェーンや、サプライチェーンを跨った範囲等、インフラを共有しない環境下におけるフィールドでは、工程間の連係情報等が記録されていない場合もあり、製品の生産工程におけるエネルギーに関するトレース情報を得ることができない。すなわち、インフラを共有しないフィールドにおいては、製品の生産工程におけるエネルギーに関するトレース情報を取得することができない。
【０００５】
この発明の目的は、インフラを共有しないフィールドにおいても、製品の生産工程におけるエネルギーに関するトレース情報を取得することができるトレース情報取得システムを提供することである。
【０００６】
この発明の他の目的は、インフラを共有しないフィールドにおいても、製品の生産工程におけるエネルギーに関するトレース情報を取得することができるトレース情報取得方法を提供することである。
【０００７】
この発明のさらに他の目的は、インフラを共有しないフィールドにおいても、製品の生産工程におけるエネルギーに関するトレース情報を取得することができるトレース情報取得装置を提供することである。
【０００８】
この発明のさらに他の目的は、インフラを共有しないフィールドにおいても、製品の生産工程におけるエネルギーに関するトレース情報を取得することができるトレース情報取得プログラムを提供することである。
【０００９】
この発明のさらに他の目的は、インフラを共有しないフィールドにおいても、製品の生産工程におけるエネルギーに関するトレース情報を取得することができるトレース情報取得プログラムを記録した記録媒体を提供することである。
【課題を解決するための手段】
【００１０】
この発明に係るトレース情報取得システムは、複数の段階を経て生産される製品に関するトレース情報を取得するトレース情報取得システムであって、製品の生産工程におけるエネルギーに関するイベントデータを記録する記録手段と、記録手段により記録されたイベントデータから製品の生産工程におけるエネルギーに関するトレース情報を取得する取得手段とを備える。ここで、イベントデータは、複数の段階において、共通のデータ形式を有する。
【００１１】
このように、製品の生産工程におけるエネルギーに関するイベントデータが、複数の段階において共通のデータ形式を有するため、記録されたイベントデータを基に、製品の生産工程におけるエネルギーに関するトレース情報を取得することができる。そうすると、インフラとは無関係に複数の段階を経て生産される製品の生産工程におけるエネルギーに関するトレース情報を取得することができ、例えば、複数の段階を経て生産される製品において、複数の段階を関連付けるデータを記録することなく、製品の生産工程におけるエネルギーに関するトレース情報を取得することができる。したがって、インフラを共有しないフィールドにおいても、製品の生産工程におけるエネルギーに関するトレース情報を取得することができる。
【００１２】
好ましくは、イベントデータは、エネルギーを計測する計測器の情報である計測器データ、エネルギーを計測する人に関する人データ、エネルギーを計測する時間に関する時点データ、エネルギーを計測する場所に関する位置データ、およびエネルギーを計測する際の状態に関する状態データを含む。
【００１３】
さらに好ましくは、取得手段は、記録手段により記録された複数のイベントデータの中から、互いに関連付けられた複数のイベントデータを抽出する抽出手段を含む。
【００１４】
また、抽出手段は、抽出手段は、複数のイベントデータのうち、位置データが同じもの同士を、互いに関連付けられたイベントデータとして抽出してもよい。
【００１５】
さらに好ましい一実施形態として、記録手段は、ＲＦＩＤ（Ｒａｄｉｏ  Ｆｒｅｑｕｅｎｃｙ  Ｉｄｅｎｔｉｆｉｃａｔｉｏｎ）タグを用いてイベントデータを記録する。
【００１６】
この発明の他の局面において、トレース情報取得方法は、複数の段階を経て生産される製品に関するトレース情報を取得するトレース情報取得方法であって、複数の段階において共通のデータ形式を有し、製品の生産工程におけるエネルギーに関するイベントデータを記録する記録ステップと、記録ステップにより記録されたイベントデータから製品の生産工程におけるエネルギーに関するトレース情報を取得する取得ステップとを備える。
【００１７】
この発明のさらに他の局面において、トレース情報取得装置は、複数の段階を経て生産される製品に関するトレース情報を取得するトレース情報取得装置であって、複数の段階において共通のデータ形式を有し、製品の生産工程におけるエネルギーに関するイベントデータを記録する記録部と、記録部により記録されたイベントデータから製品の生産工程におけるエネルギーに関するトレース情報を取得する取得部とを備える。
【００１８】
この発明のさらに他の局面において、トレース情報取得プログラムは、コンピュータを、複数の段階を経て生産される製品に関するトレース情報を取得するために、複数の段階において共通のデータ形式を有し、製品の生産工程におけるエネルギーに関するイベントデータを記録する記録手段、および記録手段により記録されたイベントデータから製品の生産工程におけるエネルギーに関するトレース情報を取得する取得手段として機能させるためのトレース情報取得プログラムである。
【００１９】
この発明のさらに他の局面において、記録媒体は、上記したトレース情報取得プログラムを記録したコンピュータ読取可能な記録媒体である。
【発明の効果】
【００２０】
このようなトレース情報取得システムによると、製品の生産工程におけるエネルギーに関するイベントデータが、複数の段階において共通のデータ形式を有するため、記録されたイベントデータを基に、製品の生産工程におけるエネルギーに関するトレース情報を取得することができる。そうすると、インフラとは無関係に複数の段階を経て生産される製品の生産工程におけるエネルギーに関するトレース情報を取得することができ、例えば、複数の段階を経て生産される製品において、複数の段階を関連付けるデータを記録することなく、製品の生産工程におけるエネルギーに関するトレース情報を取得することができる。したがって、インフラを共有しないフィールドにおいても、製品の生産工程におけるエネルギーに関するトレース情報を取得することができる。
【００２１】
また、このようなトレース情報取得方法、トレース情報取得装置、トレース情報取得プログラムおよび記録媒体についても、製品の生産工程におけるエネルギーに関するイベントデータが、複数の段階において共通のデータ形式を有するため、記録されたイベントデータを基に、製品の生産工程におけるエネルギーに関するトレース情報を取得することができる。そうすると、インフラとは無関係に複数の段階を経て生産される製品の生産工程におけるエネルギーに関するトレース情報を取得することができ、例えば、複数の段階を経て生産される製品において、複数の段階を関連付けるデータを記録することなく、製品の生産工程におけるエネルギーに関するトレース情報を取得することができる。したがって、インフラを共有しないフィールドにおいても、製品の生産工程におけるエネルギーに関するトレース情報を取得することができる。
【発明を実施するための最良の形態】
【００２２】
以下、この発明の実施の形態を、図面を参照して説明する。まず、この発明の一実施形態に係るトレース情報取得システムで用いられるイベントデータについて説明する。図１は、イベントデータのデータ形式を示す概念図である。図１を参照して、イベントデータ１１は、複数の段階を経て生産される製品において、製品の生産工程におけるエネルギーとしての消費電力をモニタリングした消費電力モニタリングイベントに関するデータであって、製品を生産する際の複数の段階において、共通のデータ形式を有する。イベントデータ１１は、センシング対象である製品の消費電力モニタリングイベントに関する計測器の情報である計測器データ１２ａ、消費電力モニタリングイベントに関する人の情報である人データ１２ｂ、消費電力モニタリングイベントに関する時間の情報である時点データ１２ｃ、消費電力モニタリングイベントに関する場所の情報である位置データ１２ｄ、および消費電力モニタリングイベントに関する状態の情報である状態データ１２ｅを含む。計測器データ１２ａ、人データ１２ｂ、時点データ１２ｃ、および位置データ１２ｄはそれぞれ、状態データ１２ｅによって繋がっている概念である。
【００２３】
ここで、製品の生産工程における消費電力に関するイベントデータ、すなわち、製品の生産工程における消費電力をモニタリングした消費電力モニタリングイベントに関するイベントデータは、製品の生産工程に関するイベントデータと対応付けてもよい。すなわち、センシング対象である製品に関する製品（モノ）データ１５ａ、人に関する人データ１５ｂ、時間に関する時点データ１５ｃ、位置（場所）に関する位置データ１５ｄ、および状態に関する状態データ１５ｅを含む製品の生産工程イベントデータ１６を、計測器データ１２ａ、人データ１２ｂ、時点データ１２ｃ、位置データ１２ｄ、および状態データ１２ｅを含むイベントデータ１１と対応させるようにする。具体的には、作業者としての人データ１５ｂと記録者である人データ１２ｂ、装置としての位置データ１５ｄと装置としての位置データ１２ｄ、時間としての時点データ１５ｃと時間としての時点データ１２ｃとが一致すれば、製品の生産工程における製品データ１５ａと製品の生産工程における計測器データ１２ａとを関連付けることができる。こうすることにより、その製品の生産工程において同一人により同じ場所で同じ時間を共有するイベントデータを用いて、製品の生産工程における消費電力に関するトレース情報を抽出することができる。
【００２４】
図２は、この発明の一実施形態に係るトレース情報取得システムのハードウェア構成を示すシステム構成図である。図１および図２を参照して、トレース情報取得システム２１は、イベントデータや、複数のイベントデータを記録したイベントデータマスタ等、種々のデータを記録可能であるサーバ２２と、既存システムを構築し、生産管理系データや工程マスタ、ＢＯＭ（Ｂｕｉｌｄ  Ｏｆ  Ｍａｔｅｒｉａｌ）マスタを記録したサーバ２３と、イベントデータ等のデータを入力させるコンピュータ２４ａ、２４ｂ、２４ｃ、２４ｄと、イベントデータをそのまま入力可能なセンサーデバイス２５ａと、コンピュータ２４ｃを介してイベントデータを入力可能なセンサーデバイス２５ｂと、サーバ２２、２３、コンピュータ２４ａ〜２４ｄを接続する接続線２６とを備える。サーバ２２は、製品の生産工程における消費電力に関するイベントデータを記録する記録手段と、記録手段により記録されたイベントデータから製品の生産工程における消費電力に関するトレース情報を取得する取得手段とを備える。ここで、コンピュータ２４ｃは、センサーデバイス２５ｂに対して、デバイス設定インターフェースとして機能する。また、トレース情報取得システム２１は、製品と離隔した状態でイベントデータを入出力可能なＲＦＩＤタグシステム２７を含む。ＲＦＩＤタグシステム２７は、コンピュータ２４ｄ側に設けられたリーダライタ２８ａと、リーダライタ２８ａによりデータの読書き、すなわち、データの入出力が可能であり、製品２９に取り付けられたＲＦＩＤタグ２８ｂとを備える。ここで、コンピュータ２４ｄは、ＲＦＩＤタグシステム２７に対して、外部記録データインターフェースとして機能する。
【００２５】
なお、サーバ２２とサーバ２３は１台のサーバで実現しても構わない。また、接続線２６は、有線によるものに限定されず、一部または全部を無線で実現しても構わない。また、コンピュータ２４ａ〜２４ｄは４台に限定されず、最低１台以上あればよく、何台でも構わない。また、センサーデバイス２５ａ、２５ｂ、およびＲＦＩＤタグシステム２７は、含まなくともよいし、それぞれを２台以上含んでいてもよい。
【００２６】
ここで、製品の生産工程における消費電力に関するイベントデータを記録する方法について説明する。図３は、イベントデータを記録する場合の動作の流れを示すフローチャートである。図４は、この発明の一実施形態に係るトレース情報取得システムのブロック図である。図１〜図４を参照して、まず、デバイス機器によるイベントセンシングタイプのイベントデータの記録方法について説明する。なお、イベントセンシングタイプのイベントデータの記録方法とは、例えば、図２に示すシステム構成図のセンサーデバイス２５ａやセンサーデバイス２５ｂのようなセンサーデバイスにより直接イベントデータを取得して記録する方法を指す。
【００２７】
まず、コンピュータ２４ｃのデバイス設定インターフェースにおいて、センサーデバイス（デバイス機器）２５ｂから、データを読取る（図３において、ステップＳ１１、以下、ステップを省略する）。次に、コンピュータ２４ｃにおけるインターフェースロジックによって、上記した構成のイベントデータを作成する（Ｓ１２）。その後、サーバ２２に記録されているイベントデータマスタのデータベースを更新する（Ｓ１３）。ここでは、テーブルマスタ、状態マスタ、位置マスタ、計測器マスタ、および人マスタから構成されるイベントデータマスタの更新を行なう。すなわち、各マスタに、新たなイベントデータを記録する。
【００２８】
ここで、イベントデータマスタは、各イベントデータのデータと内容を対応付けるためのマスタである。例えば、人データであれば、データ自体は数字やアルファベット等の単純な記号で記録されている。この記号と、実際の作業者の氏名や所属等の情報の対応付けが記録されているマスタがイベントデータマスタ内の人マスタである。状態マスタ、位置マスタ、計測器マスタについても同様である。また、テーブルマスタは、種々のデータベースに対応するマスタである。なお、時点データについては、それ自体が年月日、日時のデータであり、別の情報と対応付けは不要なので、マスタは存在しない。
【００２９】
次に、既存システムによるデータトランスファタイプのイベントデータの記録方法について説明する。なお、データトランスファタイプのイベントデータの記録方法とは、例えば、図２に示すシステム構成図のサーバ２３のような既存システムの記録装置に記録されたデータを読取り、イベントデータへ変換して記録する方法、およびシステム構成図に示すＲＦＩＤタグ２８ｂのような外部記録媒体に記録されたデータを読取り、イベントデータへ変換して記録する方法を指す。
【００３０】
まず、サーバ２２において、既存システムを構築する生産管理系のサーバ２３から、データを読取る（Ｓ２１）。次に、サーバ２２の既存システムインターフェースにおけるインターフェースロジックによって、イベントデータを作成する（Ｓ２２）。次に、サーバ２２に記録されているイベントデータマスタのデータベースを更新する（Ｓ２３）。
【００３１】
次に、外部記録データによるデータトランスファタイプのイベントデータの記録方法について説明する。コンピュータ２４ｄにおいて、ＲＦＩＤタグシステム２７により、データを読取る（Ｓ３１）。具体的には、製品２９に取り付けられたＲＦＩＤタグ２８ｂから、リーダライタ２８ａにより外部システム記録データを読取り、コンピュータ２４ｄに入力する。次に、コンピュータ２４ｄの外部記録データインターフェースにおけるインターフェースロジックによって、イベントデータを作成する（Ｓ３２）。次に、サーバ２２に記録されているイベントデータマスタのデータベースを更新する（Ｓ３３）。
【００３２】
上記のようにして、種々のデータ、具体的には、デバイス機器によるイベントセンシングタイプのデータ、既存システムによるデータトランスファタイプのデータ、および外部記録データによるデータトランスファタイプのデータのイベントデータを生成し、データベースの更新を行なう。
【００３３】
次に、イベントデータを用いて、製品の生産工程における消費電力に関するトレース情報を取得する方法について説明する。図４は、製品の生産工程における消費電力に関するトレース情報を取得する場合の処理の流れを示すフローチャートである。図１〜図４を参照して、トレーシングエージェントとしてトレース情報を取得する対象となる製品の情報がサーバ２２に入力される（Ｓ４１）。この場合、製品イベントデータを抽出することにより入力してもよい。次に、複数の段階を経て製造される製品の生産工程における消費電力に関するイベントデータを抽出する（Ｓ４２）。具体的には、図３に示すように、製品の生産工程における消費電力をモニタリングした消費電力モニタリングイベントに関するイベントデータを、消費電力計測器を基に形成された消費電力計測一次データベースを格納したゲートウェイサーバから抽出する。ここで、サーバ２２に含まれる取得手段は、記録手段により記録された複数のイベントデータの中から、互いに関連付けられた複数のイベントデータを抽出する抽出手段を含む。次に、イベントデータのうちの人データ、時点データおよび位置（場所）データを基に、同一人における同時発生、すなわち、同じ人データ、同じ時点データおよび同じ位置データを有する消費電力モニタリングイベントを抽出する。ここで、抽出手段は、複数のイベントデータのうち、位置データが同じもの同士を、互いに関連付けられたイベントデータとして抽出する。
【００３４】
その後、抽出した消費電力モニタリングイベントに関するイベントデータを基に、消費電力を算出する（Ｓ４３）。この場合、例えば、時間の遅い時点データを有するイベントデータのうちの計測器データから、時間の早い時点データを有するイベントデータのうちの計測器データを減ずることにより、消費電力が算出される。
【００３５】
このようにして、イベントデータにより、製品の生産工程におけるエネルギーのトレース情報、ここでは、消費電力に関するトレース情報を取得する（Ｓ４４）。
【００３６】
このようなトレース情報取得システムによると、製品の生産工程における消費電力に関するイベントデータが、複数の段階において共通のデータ形式を有するため、記録されたイベントデータを基に、製品の生産工程における消費電力に関するトレース情報を取得することができる。そうすると、インフラとは無関係に複数の段階を経て生産される製品の生産工程における消費電力に関するトレース情報を取得することができ、例えば、複数の段階を経て生産される製品において、複数の段階を関連付けるデータを記録することなく、製品の生産工程における消費電力に関するトレース情報を取得することができる。したがって、インフラを共有しないフィールドにおいても、製品の生産工程における消費電力に関するトレース情報を取得することができる。
【００３７】
また、この発明に係るトレース情報取得方法は、複数の段階を経て生産される製品に関するトレース情報を取得するトレース情報取得方法であって、複数の段階において共通のデータ形式を有し、製品の生産工程におけるエネルギーに関するイベントデータを記録する記録ステップと、記録ステップにより記録されたイベントデータから製品の生産工程におけるエネルギーに関するトレース情報を取得する取得ステップとを備える。
【００３８】
また、この発明に係るトレース情報取得装置は、複数の段階を経て生産される製品に関するトレース情報を取得するトレース情報取得装置であって、複数の段階において共通のデータ形式を有し、製品の生産工程におけるエネルギーに関するイベントデータを記録する記録部と、記録部により記録されたイベントデータから製品の生産工程におけるエネルギーに関するトレース情報を取得する取得部とを備える。ここで、トレース情報取得装置には、上記した図２におけるサーバ２２が該当する。
【００３９】
また、この発明に係るトレース情報取得プログラムは、コンピュータを、複数の段階を経て生産される製品に関するトレース情報を取得するために、複数の段階において共通のデータ形式を有し、製品の生産工程におけるエネルギーに関するイベントデータを記録する記録手段、および記録手段により記録されたイベントデータから製品の生産工程におけるエネルギーに関するトレース情報を取得する取得手段として機能させるためのトレース情報取得プログラムである。
【００４０】
また、この発明に係る記録媒体は、上記したトレース情報取得プログラムを記録したコンピュータ読取可能な記録媒体である。
【００４１】
ここで、この発明に係るトレース情報取得システムの一実施例について説明する。図５は、製品の実装作業を行なう場合のイベントデータの一例を示す図である。図５を参照して、電力計測器における電力計測作業については、電力計測において、トリガーを「タイマー」とする「着手時間」というイベント、およびトリガーを「タイマー」とする「完了時間」というイベントが発生する。これらにイベントに対し、図５に示すようなイベントデータが記録される。
【００４２】
具体的には、トリガーを「タイマー」とする「着手時間」というイベントに対し、計測器データとしての「計測器５」、人データとしての「装置責任者Ａ」、位置データとしての「実装機４」、時点データとしての「９：００」、状態データとしての「１００ＫＷ」がイベントデータとして記録される。これは、すなわち、装置責任者Ａが、時間９：００に、計測器５が１００ＫＷを計測している実装機４において、作業に着手した、ということを意味している。同様に、トリガーを「タイマー」とする「完了時間」というイベントに対し、計測器データとしての「計測器５」、人データとしての「装置責任者Ａ」、位置データとしての「実装機４」、時点データとしての「９：４５」、状態データとしての「２００ＫＷ」がイベントデータとして記録される。これは、すなわち、装置責任者Ａが、時間９：４５に、計測器５が２００ＫＷを計測している実装機４において、作業を完了した、ということを意味している。
【００４３】
また、製品の実装作業に関しては、トリガーを「作業着手」とする「実装機」イベント、およびトリガーを「作業完了」とする「実装機」イベントが発生する。そして、図５に示すように、トリガーを「作業着手」とする「実装機」というイベントに対し、モノデータとしての「製品オーダ１」、人データとしての「作業者Ｄ」、位置データとしての「実装機４」、時点データとしての「９：００」、状態データとしての「正常開始」がイベントデータとして記録される。これは、すなわち、作業者Ｄが、時間９：００に、実装機４において、製品オーダ１を正常にセットした、ということを意味している。同様に、トリガーを「作業完了」とする「実装機」というイベントに対し、モノデータとしての「製品オーダ１」、人データとしての「作業者Ｄ」、位置データとしての「実装機４」、時点データとしての「９：４５」、状態データとしての「正常終了」がイベントデータとして記録される。これは、すなわち、作業者Ｃが、時間９：４５に、実装機４において、製品オーダ１を正常に終了した、ということを意味している。
【００４４】
ここで、トレース情報の取得により、図５中の実線矢印で示す製品の生産工程における消費電力に関するトレース情報の関連付けがなされる。すなわち、実装機４に関するイベントデータにおいて、位置データはすべて、「実装機４」である。そうすると、図５に示すように、「着手時間」というイベント、および「完了時間」というイベントの関連付けを直接記録しておかなくても、各イベントデータにより、製品の生産工程における消費電力に関するトレース情報の関連付けを行うことができる。この場合、製品の生産工程における消費電力に関するトレース情報として、２００ＫＷから１００ＫＷを減じた１００ＫＷが、着手開始から完了までに消費した電力となり、このトレース情報を取得することができる。
【００４５】
さらに、製品の生産工程におけるイベントデータを用いて、関連付けを行なうことができる。すなわち、図５に示す場合においては、位置データとして「実装機４」が関連するため、これらと対応付けて、トレース情報を取得することができる。
【００４６】
以上より、このようなトレース情報取得システムによると、インフラとは無関係に複数の段階を経て生産される製品の生産工程におけるエネルギーに関するトレース情報を取得することができ、例えば、複数の段階を経て生産される製品において、複数の段階を関連付けるデータを記録することなく、製品の生産工程におけるエネルギーに関するトレース情報を取得することができる。したがって、インフラを共有しないフィールドにおいても、製品の生産工程におけるエネルギーに関するトレース情報を取得することができる。
【００４７】
また、このようなトレース情報取得方法、トレース情報取得装置、トレース情報取得プログラムおよび記録媒体についても、インフラとは無関係に複数の段階を経て生産される製品の生産工程におけるエネルギーに関するトレース情報を取得することができ、例えば、複数の段階を経て生産される製品において、複数の段階を関連付けるデータを記録することなく、製品の生産工程におけるエネルギーに関するトレース情報を取得することができる。したがって、インフラを共有しないフィールドにおいても、製品の生産工程におけるエネルギーに関するトレース情報を取得することができる。
【００４８】
なお、上記の実施の形態としては、エネルギーとして消費電力を用いて説明したが、これに限らず、エネルギーとして例えば、ガスや火力、水等を用いた場合についても、適用される。
【００４９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５０】
この発明に係るトレース情報取得システム、トレース情報取得方法、トレース情報取得装置、トレース情報取得プログラムおよび記録媒体は、インフラを共有しない環境において、適切に、複数の段階を経て生産される製品の生産工程におけるエネルギーに関するトレース情報を取得する必要がある場合に、有効に利用される。
【図面の簡単な説明】
【００５１】
【図１】製品の生産工程における消費電力をモニタリングした消費電力モニタリングイベントに関するイベントデータを示す概念図である。
【図２】この発明の一実施形態に係るトレース情報取得システムのハードウェア構成を示すシステム構成図である。
【図３】イベントデータを記録する場合の動作の流れを示すフローチャートである。
【図４】製品のトレース情報を取得する場合の処理の流れを示すフローチャートである。
【図５】製品の実装作業を行なう場合のイベントデータの一例を示す図である。
【符号の説明】
【００５２】
１１，１３  イベントデータ、１２ａ  計測器データ、１２ｂ，１４ｂ  人データ、１２ｃ，１４ｃ  時点データ、１２ｄ，１４ｄ  位置データ、１２ｅ，１４ｅ  状態データ、１４ａ  製品データ、２１  トレース情報取得システム、２２，２３  サーバ、２４ａ，２４ｂ，２４ｃ，２４ｄ  コンピュータ、２５ａ，２５ｂ  センサーデバイス、２６  接続線、２７  ＲＦＩＤタグシステム、２８ａ  リーダライタ、２８ｂ  ＲＦＩＤタグ、２９  製品。
【図１】
2010092367.tif 000003
【図２】
2010092367.tif 000004
【図３】
2010092367.tif 000005
【図４】
2010092367.tif 000006
【図５】
2010092367.tif 000007